(57)【要約】【課題】天板に操作部を設けたコンロにおいて、操作部を汚れにくくするとともに、火力の視認性を高め、さらにデザイン性や拭き掃除の手入れ性を向上させる。【解決手段】天板１と、操作部３と、操作部３を覆う回動可能なカバーパネル４とを備え、カバーパネル４によって操作部３を隠蔽することにより、調理中の操作部３への油などの飛散を防止することができる。また、カバーパネル４を透明な耐熱ガラスにすることで、カバーパネル４を上方へ回動し、火力調節を行う際、火力を確認する場合の視野を遮らず、視認性を高めることができる。さらに、カバーパネル４によって操作部３を隠蔽した状態において、天板１上面とカバーパネル４上面とを面一に構成することにより、デザイン性や手入れ性を向上させることができる。【選択図】図１
2005233567.tif 000002
【特許請求の範囲】
【請求項１】
天板の上面に臨ませた加熱手段と、前記天板の上面手前側に設け、前記加熱手段を動作等させるために操作する操作部と、前記操作部を覆い、かつ上下方向に回動可能に設けたカバーパネルとを備え、前記カバーパネルは上下方向への回動により、前記操作部を露出および隠蔽できることを特徴とする加熱調理器。
【請求項２】
天板の上面に臨ませた複数の加熱手段と、前記天板の上面手前側に設け、前記複数の加熱手段にそれぞれ対応し、かつ前記各加熱手段を動作等させるために操作する複数の操作部と、前記操作部のそれぞれを独立して覆い、かつ上下方向に回動可能に設けた複数のカバーパネルとを備え、前記カバーパネルは上下方向への回動により、前記操作部を露出および隠蔽できることを特徴とする加熱調理器。
【請求項３】
カバーパネルは、操作部を露出するために上方向へ回動させたとき、天板上面に対して略垂直の位置で天板に当接し回動が止まることを特徴とする請求項１または請求項２に記載の加熱調理器。
【請求項４】
カバーパネルは、操作部を露出するために上方向へ回動させたとき、天板上面に対して略垂直の位置で天板に当接し回動が止まるとともに、上方に向いているカバーパネルの先端部を、加熱手段の上方に位置する調理容器の底面より下方に位置することを特徴とする請求項１〜３のいずれかに記載の加熱調理器。
【請求項５】
カバーパネルは、透明な耐熱性板で形成したことを特徴とする請求項１〜４のいずれかに記載の加熱調理器。
【請求項６】
カバーパネルは、操作部を隠蔽した状態において、天板上面とカバーパネル上面とが面一になるよう構成したことを特徴とする請求項１〜５のいずれかに記載の加熱調理器。
【発明の詳細な説明】
【技術分野】
【０００１】
本発明は天板上面に操作部を設けたガスコンロ、電磁誘導または電気加熱調理器等の加熱調理器に関するものである。
【背景技術】
【０００２】
図７は、天板上面に操作部を設けた従来のガスコンロを示すものである（例えば、非特許文献１参照）。図７に示すようにガスコンロは、天板２１の上部に加熱手段である３個のガスバーナ２２を臨ませて左右両側とその間で奥との三角形状に配置し、天板２１の手前側端に上面へ突出して各ガスバーナ２２を点火、消化する複数の操作摘み２３を設け、更に操作摘み２３と各ガスバーナ２２との間に位置して天板２１の上面より突出させ、ゴトク２４に乗せた鍋（図示せず）を加熱しているガスバーナ２３から発生した熱輻射による操作摘み２３の雰囲気の温度上昇を抑制する金属製の長い遮蔽板２５を設けている。
【０００３】
しかしながら、前記従来の構成では、常に操作摘み２３が天板２１上に突き出て露出していることから、調理中に遮蔽板２５を越えて飛散する油や煮汁などにより操作摘み２３が汚れやすくなるとともに、遮蔽板２５が天板２１の上面から上方へ突出しているためデザインン性や手入れ性が損なわれ、更には調理中ガスバーナ２２の火力を調理者が確認する際、その位置によっては遮蔽板２５が邪魔し調理者の視野が遮られ、火力の確認がし難いという問題を有していた。
【非特許文献１】松下電工（株）のカタログ「ナイスキッチンモデリエ」２０頁（平成１４年１２月作成）
【発明の開示】
【発明が解決しようとする課題】
【０００４】
前記従来の技術の問題点に鑑み、本発明が解決しようとする課題は、操作部を汚れにくくして手入れを楽にし、操作部の手入れ性と調理中の加熱手段の視認性を向上させた加熱調理器を提供することにある。
【課題を解決するための手段】
【０００５】
前記課題を解決するために、本発明の加熱調理器は、天板の上面手前側に設けられ加熱手段を動作等させるために操作する操作部と、前記操作部を覆うカバーパネルとを備え、前記カバーパネルは、上下方向に回動可能に設け、前記カバーパネルの回動により操作部を露出および隠蔽できるようにしたものである。これによって、カバーパネルで操作部を隠蔽すれば、操作部への油や煮汁の飛散を防ぐことができ、操作部を汚れにくくして手入れを楽にし、操作部の手入れ性と調理中の加熱手段の視認性を向上できる。
【０００６】
また、本発明の加熱調理器は、複数の加熱手段と、この加熱手段のそれぞれに対応した複数の操作部と、この各操作部を独立してそれぞれ覆い、かつ上下方向に回動可能に設け、前記回動により操作部を露出および隠蔽できるようにした複数のカバーパネルと備えたものである。これにより、使用する加熱手段の操作部を覆うカバーパネルだけを上下方向に回動すれば良く、使い勝手と操作部の手入れ性を向上できる。
【発明の効果】
【０００７】
本発明の加熱調理器は、操作部を汚れにくくして手入れを楽にし、操作部の手入れ性と調理中の加熱手段の視認性をそれぞれ向上させることができる。
【発明を実施するための最良の形態】
【０００８】
第１の発明は、天板の上面に臨ませた加熱手段と、前記天板の上面手前側に設け、前記加熱手段を動作等させるために操作する操作部と、前記操作部を覆い、かつ上下方向に回動可能に設けたカバーパネルとを備え、前記カバーパネルは上下方向への回動により、前記操作部を露出および隠蔽できることにより、調理中、操作部を隠蔽することによって操作部への油や煮汁の飛散を防止することができる。
【０００９】
第２の発明は、天板の上面に臨ませた複数の加熱手段と、前記天板の上面手前側に設け、前記複数の加熱手段にそれぞれ対応し、かつ前記各加熱手段を動作等させるために操作する複数の操作部と、前記操作部のそれぞれを独立して覆い、かつ上下方向に回動可能に設けた複数のカバーパネルとを備え、前記カバーパネルは上下方向への回動により、前記操作部を露出および隠蔽できることにより、使用する加熱手段の操作部を覆うカバーパネルのみ上方向へ回動し、その操作部を露出すればよいため、その間における使用していない操作部への油や煮汁の飛散を防ぐことができる。
【００１０】
第３の発明は、第１または第２の発明の加熱調理器において、その操作部を露出するために、カバーパネルを上方向へ回動させたとき、カバーパネルは天板上面に対して略垂直の位置で天板に当接して回動が止まることにより、火力調節などの操作をする際、加熱手段からの輻射熱をカバーパネルで遮ることができるため、調理者は不快な熱さを感じることなく快適に操作部を操作することができる。
【００１１】
第４の発明は、第１〜第３のいずれか１つの発明の加熱調理器において、その操作部を露出するためにカバーパネルを上方向へ回動した状態において、天板上面に対して略垂直の位置で天板に当接し回動が止まるとともに、上方に向いているカバーパネルの先端部を、加熱手段の上方に位置する調理容器の底面より下方に位置することにより、例えばゴトク上で調理容器を手前にずらした際にも調理容器がカバーパネルに当たらないため、不意の衝撃でカバーパネルが閉じるのを防ぐことができる。
【００１２】
第５の発明は、第１〜第４のいずれか１つの発明の加熱調理器において、そのカバーパネルを透明な耐熱性板で形成することにより、火力を確認しながら操作部で火力調節する際、カバーパネルが透明であるため、上方向へ回動しなくても調理者の視野を遮ることなく、火力を容易に確認することができる。さらに、耐熱性板であるため、油汚れなどが付着してもその汚れを簡単に落とすことができる。
【００１３】
第６の発明は、第１〜第５のいずれか１つの発明の加熱調理器において、そのカバーパネルによって操作部を隠蔽した状態にあって、天板上面とカバーパネル上面とが面一になるよう構成することにより、天板とカバーパネルとに一体感が生まれるためデザイン性が向上する。さらに、天板に対するカバーパネルの凹凸が少なくなるため、天板上の手入れもしやすくなる。
【００１４】
本発明の目的は、第１の発明から第６の発明を実施の形態の要部とすることにより達成できるので、各請求項に対応する実施の形態の詳細を、以下、本発明の加熱調理器として調理台に落とし込んで設置した組込型のガスコンロに採用した実施の形態について以下に図面を参照しながら説明し、本発明を実施するための最良の形態の説明とする。なお、この実施の形態によって本発明が限定されるものではない。また、本実施の形態の説明において、同一構成並びに作用効果を奏するところには同一符号を付して重複した説明を行わないものとする。
【００１５】
（実施の形態１）
図１は、本発明の実施の形態１におけるガスコンロで、カバーパネルを上方へ回動して操作部を露出した状態を示している。図２は、同じく実施の形態１におけるガスコンロで、操作部をカバーパネルにより隠蔽した状態を示している。図３は、同じく実施の形態１におけるガスコンロで、使用時にカバーパネルを上方へ回動した状態を示している。図４は、同実施の形態１におけるガスコンロで、カバーパネルを天板から外した状態を示している。
【００１６】
図５（ａ）〜（ｃ）は、同実施の形態１におけるガスコンロで、天板とカバーパネルとの軸支部を示すものであり、図５（ａ）は、天板にカバーパネルが軸支される以前の状態、図５（ｂ）は、天板にカバーパネルが軸支されるに至る途中の状態、図５（ｃ）は、天板にカバーパネルが軸支された状態をそれぞれ示すものである。
【００１７】
図１において、天板１の上面手前端に沿って加熱手段であるガスバーナ２の点火、消火と火力調節の動作等を操作する操作部３が配置されている。操作部３の上面は平で、天板１上面より一段低い位置の操作面３ａと同じ面に位置している。そして、操作部３は表面を防水カバーされたタッチスイッチで形成され、手で押すことにより電気信号を制御部（図示せず）に入力し、制御部を介して燃料を供給されたガスバーナ２の点火、消火と火力調節を行うものである。３個のガスバーナ２は、天板１の上面に臨ませて左右両側とその間で奥との三角形状に配置している。従って、操作部３はそれぞれのガスバーナ２に対応して操作面３ａの３箇所に設けてある。
【００１８】
カバーパネル４は、天板１の上面より一段低い位置の操作面３ａに嵌る大きさに形成し、図１に示す位置より下方向に回動して図２に示すように３箇所の操作部３の上面を常に覆い、操作部３を操作するときに図２に示す位置より上方向に回動して図１に示すように天板１に背面を当てて起立させている。そして、カバーパネル４は、透明な耐熱性ガラス４ａを金属製の枠４ｂで囲って構成しているとともに、図２に示すように操作部３を覆っているカバーパネル４の上面は、天板１と面一になるよう構成している。
【００１９】
更に、カバーパネル４は、図３に示すように天板１に両側を軸支された後部を支点として２点鎖線と実線で示すように上下方向へ回動し、図３に実線で示すように天板１に背面を当てて起立し、天板１に対し垂直よりもやや後方に倒れた略垂直の位置で天板１に当接し回動が止まる。そして、カバーパネル４は、図３に示す状態のとき上方を向いているカバーパネル４の先端部４ｃは、ゴトク５に載置された調理容器である鍋６の底よりも下方に位置している。
【００２０】
更に、カバーパネル４は、図４においてカバーパネル４の左右側面の後部に、カバーパネル４が回動する際に支点となるための軸７が設けられている。また、天板１は軸７に対応した位置に、回動自在に軸７の嵌る穴８が設けられている。そして、カバーパネル４の軸７は、図５（ａ）〜（ｃ）において、枠４ｂに設けられた穴４ｄに挿入されており、カバーパネル４の内部に収まった軸７の一端にはコイル状のバネ９が連結され、バネ９の先端はカバーパネル４の枠４ｂに嵌めた耐熱性板である耐熱性ガラス４ａに両側から当接して耐熱性ガラス４ａのガタツキを軽減するとともに、常にバネ９により枠４ｂの穴４ｄより軸７を出没自在に構成して、カバーパネル４を天板１に着脱自在に取り付けている。
【００２１】
以上のように構成されたガスコンロについて、以下その動作、作用を説明する。まず、カバーパネル４を天板１に軸支するため、図５（ａ）に示す状態にあるカバーパネル４の後部の左右側面に設けられた軸７を、図５（ｂ）に示すようにバネ９を圧縮しながらカバーパネル４内の側方向へ押し込む。そして、軸７の先端部と、軸７に対応した天板１の穴８とが合致すると、図５（ｃ）に示すように圧縮されていたバネ９が軸７を押し戻し、軸７が天板１の穴８に回動自在に軸支される。そして、カバーパネル４は、軸７を支点とし、上下方向に回動する。つまり、カバーパネル４はガスコンロを使用するため操作部３を操作するとき以外、基本的に下方向へ回動しておくものである。
【００２２】
従って、カバーパネル４は操作面３ａに当接し３箇所の操作部３を図２のように覆うとともに、透明な耐熱性ガラス４ａを通して操作部３が図２のように見ることができる。また、図１のようにカバーパネル４を開けて操作部３を操作し、ガスバーナ２を動作させた後、カバーパネル４を下方に回動し操作部３を覆う状態にすることにより、調理物から飛散した油や煮汁がカバーパネル４上面に付着することはあっても、操作部３に付着することは無く、調理者が直接触れる操作部３を清潔に保つことができるとともに、調理者が直接触れることで汚れたのを手入れするだけなので、楽に拭き掃除ができる。
【００２３】
また、カバーパネル４は主に耐熱性ガラス４ａで構成されているため、付着した汚れを簡単に落とすことができるとともに、天板１の上面と同じ平らな面になっているので、ゴトク５に鍋６を乗せた調理中にあっても、カバーパネル４に遮られることなくガスバーナ２の加熱状態を容易に監視できる。更に、天板１の上面とカバーパネル４の上面とは面一に構成してあるため、デザイン性に優れ、凹凸が少ないため汚れを拭き掃除する手入れも楽である。
【００２４】
また、カバーパネル４はガスバーナ２の動作を操作するためにカバーパネル４を上方へ回動した際、天板１に対し垂直よりもやや後方に倒れた位置で天板１に背面が当接し止まる。これにより、加熱手段２からの輻射熱をカバーパネル４で遮ることができ、調理者は手等に不快な熱さを感じることなく操作することができる。
【００２５】
また、カバーパネル４は先端部４ｃが、ゴトク５に載置された鍋６の底よりも下方に位置するため、カバーパネル４を上方に回動した状態で調理を行った場合、鍋６を手前にずらしても鍋６がカバーパネル４に当たらないため、不意の衝撃でカバーパネル４が閉じるのを防ぐことができる。
【００２６】
更に、ガスバーナ２の火力を調節する際など、カバーパネル４を上方向に回動した状態でカバーパネル４越しにガスバーナ２の火力を確認する場合、カバーパネル４は主に透明な耐熱性ガラス４ａで構成しているため、調理者の視野を遮ることなく、容易に確認しながら火力調節ができて使い勝手を向上させることができる。
【００２７】
なお、上記実施の形態において、カバーパネル４と天板１との隙間等を拭き掃除をする際は、調理台に落とし込んで組み込んだガスコンロの天板１を調理台から持ち上げ、そして天板１の裏側から軸７をバネ９に抗して押し込んで穴８から外してカバーパネル４を取り外して行うものである。
【００２８】
（実施の形態２）
図６は、本発明の実施の形態２におけるガスコンロを示す斜視図である。本実施の形態は、複数のガスバーナの動作等を操作する複数の操作部３を、それぞれ独立して覆う上下方向に回動できる複数のカバーパネルを設けた点で実施の形態１の発明と異なり、それ以外の同一構成並びに作用効果については詳細な説明を省略する。
【００２９】
３個のカバーパネル４は、図６に示すように、それぞれ独立して操作部３のそれぞれを覆い、上下方向に回動可能に天板１に設けている。それぞれのカバーパネル４の軸支構造は、左側のカバーパネル４の左側及び右側のカバーパネル４の右側のそれぞれの軸が、実施の形態１と全く同じ構造で取付けている。また、真中のカバーパネル４は左右のカバーパネル４の軸を共用して取付けている。すなわち、左側のカバーパネル４の右側及び右側のカバーパネル４の左側のそれぞれの軸を、真中のカバーパネル４の後部の左右側面に開けた穴（図示せず）にバネの力で嵌め込んで取付けている。
【００３０】
上記実施の形態によれば、図６のように動作をさせるガスバーナ２の操作部３を覆っているカバーパネル４のみを回動すればよく、その際、他の操作部３は閉じているカバーパネル４により図６のように覆われているので、油などの飛散を受けることがないため、操作部は汚れない。
【００３１】
また、ガスバーナ２の数に応じてカバーパネル４を複数個設けるため、個々のカバーパネル４の大きさを小さくすることができ、個々のカバーパネル４を回動させる操作がしやすくなる。
【産業上の利用可能性】
【００３２】
以上のように、本発明にかかる加熱調理器は、天板上面に設けた操作部を操作時以外は隠蔽することができるため、操作部を汚れにくくすることが可能になり、ガスを熱源とするガスコンロだけでなく、シーズヒータ、ハロゲンランプ等を熱源とする電気調理器、電磁誘導加熱調理器等にも適用できる。
【図面の簡単な説明】
【００３３】
【図１】本発明の実施の形態１におけるガスコンロで、カバーパネルを上方へ回動して操作部を露出した状態を示す斜視図
【図２】本発明の実施の形態１におけるガスコンロで、操作部をカバーパネルにより隠蔽した状態を示す斜視図
【図３】本発明の実施の形態１におけるガスコンロで、使用時にカバーパネルを上方へ回動した状態を示す側面図
【図４】本発明の実施の形態１におけるガスコンロで、カバーパネルを天板から外した状態を示す斜視図
【図５】（ａ）本発明の実施の形態１におけるガスコンロで、天板にカバーパネルが軸支される以前の状態を示す部分断面図（ｂ）天板にカバーパネルが軸支されるに至る途中の状態を示す部分断面図（ｃ）天板にカバーパネルが軸支された状態を示す部分断面図
【図６】本発明の実施の形態２におけるガスコンロで、複数個設けられたガスバーナの操作部のうち、ひとつのガスバーナの操作部を露出した状態を示す斜視図
【図７】従来の天板上面に操作部を設けたガスコンロの斜視図
【符号の説明】
【００３４】
１  天板
２  ガスバーナ（加熱手段）
３  操作部
４  カバーパネル
４ａ  耐熱性ガラス（耐熱性板）
４ｃ  カバーパネルの先端部
６  鍋（調理容器）
【図１】
2005233567.tif 000003
【図２】
2005233567.tif 000004
【図３】
2005233567.tif 000005
【図４】
2005233567.tif 000006
【図５】
2005233567.tif 000007
【図６】
2005233567.tif 000008
【図７】
2005233567.tif 000009